(57)【要約】【課題】  製造工程が簡易であり、かつ、大きなインダクタンスを有するＬＣフィルタを提供する。【解決手段】  （ａ）複数のセラミック層と複数のコイル電極とを積層してなる積層体と、（ｂ）前記コイル電極を螺旋状に接続してなる、コイル軸方向が同一でかつコイル軸方向に沿って配列された少なくとも２つのコイルと、（ｃ）前記積層体の両端面に形成された、前記配列方向の両外側に位置するコイル端部と電気的に接続する外部電極と、を備え、（ｄ）前記配列方向の両外側に位置しないコイル端部を含むコイル電極が、セラミック層を介して互いに対向していることを特徴とする。【選択図】        図１
2008147709.tif 000002
【特許請求の範囲】
【請求項１】
複数のセラミック層と複数のコイル電極とを積層してなる積層体と、
前記コイル電極を螺旋状に接続してなる、コイル軸方向が同一でかつコイル軸方向に沿って配列された少なくとも２つのコイルと、
前記積層体の両端面に形成された、前記配列方向の両外側に位置するコイル端部と電気的に接続する外部電極と、を備え、
前記配列方向の両外側に位置しないコイル端部を含むコイル電極が、セラミック層を介して互いに対向していることを特徴とするＬＣフィルタ。
【請求項２】
複数のセラミック層と複数のコイル電極とを積層してなる積層体と、
前記コイル電極を螺旋状に接続してなる、コイル軸方向が同一でかつコイル軸方向に沿って配列された２つのコイルと、
前記積層体の両端面に形成された、前記配列方向の両外側に位置するコイル端部と電気的に接続する外部電極と、を備え、
前記２つのコイルのうち一方のコイルの複数のコイル電極が、他方のコイルの複数のコイル電極とセラミック層を介して互いに対向していることを特徴とするＬＣフィルタ。
【請求項３】
複数のセラミック層と複数のコイル電極とを積層してなる積層体と、
前記コイル電極を螺旋状に接続してなる、コイル軸方向が同一でかつコイル軸方向に沿って配列された３つのコイルと、
前記積層体の両端面に形成された、前記配列方向の両外側に位置するコイル端部と電気的に接続する外部電極と、を備え、
前記配列方向の上部に位置するコイルの複数のコイル電極が、配列方向の中央に位置するコイルの複数のコイル電極とセラミック層を介して互いに対向し、
前記配列方向の下部に位置するコイルの複数のコイル電極が、配列方向の中央に位置するコイルの複数のコイル電極とセラミック層を介して互いに対向していることを特徴とするＬＣフィルタ。
【請求項４】
前記互いに対向しているコイル電極は、コイル軸方向から見て略同一の形状であることを特徴とする請求項１ないし３のいずれかに記載のＬＣフィルタ。
【請求項５】
前記外部電極は、コイル軸方向と直交する、積層体の両端面に形成されていることを特徴とする請求項１ないし４のいずれかに記載のＬＣフィルタ。
【請求項６】
前記互いに対向しているコイル電極間のセラミック層が高誘電率材料で形成されていることを特徴とする請求項１ないし５のいずれかに記載のＬＣフィルタ。
【請求項７】
前記それぞれのコイルのうち、他のコイルのコイル電極と対向しているコイル電極は同一の電極幅であり、前記互いに対向しているコイル電極の電極幅が異なることを特徴とする請求項１ないし６のいずれかに記載のＬＣフィルタ。
【発明の詳細な説明】
【技術分野】
【０００１】
本発明は、ＬＣフィルタに関し、より詳しくは、コイルとコンデンサを直列に接続したＬＣフィルタに関する。
【背景技術】
【０００２】
ＬＣフィルタの一つとして、例えば特許文献１に記載されているように、コイルとコンデンサを直列に接続したＬＣフィルタがある。このようなＬＣフィルタは、図１０に示すように、コイル電極６１とは別に、コンデンサ電極６３が設けられている。
【特許文献１】特開平１１−２８４４７０号公報
【発明の開示】
【発明が解決しようとする課題】
【０００３】
ところで、上述のＬＣフィルタにおいて、コイル電極６１とコンデンサ電極６３はそれぞれの特性を考慮して設計されている。すなわち、コイル電極６１は螺旋状に形成されているし、コンデンサ電極６３は幅広く形成されている。このため、ＬＣフィルタを製造するには、コイル電極６１とコンデンサ電極６３をそれぞれに形成して、所定の位置に配設することが必要なので、製造工程が複雑かつ困難であった。
【０００４】
また、幅広く形成されたコンデンサ電極６３がコイル電極６１の磁束が周回する領域に配設されているので、磁束がコンデンサ電極６３を通過してコンデンサ電極６３に渦電流が発生した。そして、この渦電流損によってインダクタンスが減少してしまった。
【０００５】
本発明は上記問題点を解決するものであり、製造工程が簡易であり、かつ、大きなインダクタンスが得られるＬＣフィルタを提供することを目的とする。
【課題を解決するための手段】
【０００６】
上記問題点を解決するために、本発明のＬＣフィルタは、（ａ）複数のセラミック層と複数のコイル電極とを積層してなる積層体と、（ｂ）前記コイル電極を螺旋状に接続してなる、コイル軸方向が同一でかつコイル軸方向に沿って配列された少なくとも２つのコイルと、（ｃ）前記積層体の両端面に形成された、前記配列方向の両外側に位置するコイル端部と電気的に接続する外部電極と、を備え、（ｄ）前記配列方向の両外側に位置しないコイル端部を含むコイル電極が、セラミック層を介して互いに対向していることを特徴とする。
【０００７】
コイル電極を互いに対向させてコンデンサを形成することにより、コイル電極とは別にコンデンサ電極を形成する必要がなくなる。また、ＬＣフィルタをコイルと同様の構造で製造することができる。その結果、ＬＣフィルタの製造工程が簡易となる。
【０００８】
また、幅の広いコンデンサ電極でコイルの磁束を遮ることがなく、渦電流損によるインダクタンスの低下を防止することが可能となる。その結果、大きなインダクタンスを得ることができる。
【０００９】
また、本発明のＬＣフィルタは、（ａ）複数のセラミック層と複数のコイル電極とを積層してなる積層体と、（ｂ）前記コイル電極を螺旋状に接続してなる、コイル軸方向が同一でかつコイル軸方向に沿って配列された２つのコイルと、（ｃ）前記積層体の両端面に形成された、前記配列方向の両外側に位置するコイル端部と電気的に接続する外部電極と、を備え、（ｄ）前記２つのコイルのうち一方のコイルの複数のコイル電極が、他方のコイルの複数のコイル電極とセラミック層を介して互いに対向していることを特徴とする。
【００１０】
また、本発明のＬＣフィルタは、（ａ）複数のセラミック層と複数のコイル電極とを積層してなる積層体と、（ｂ）前記コイル電極を螺旋状に接続してなる、コイル軸方向が同一でかつコイル軸方向に沿って配列された３つのコイルと、（ｃ）前記積層体の両端面に形成された、前記配列方向の両外側に位置するコイル端部と電気的に接続する外部電極と、を備え、（ｄ）前記配列方向の上部に位置するコイルの複数のコイル電極が、配列方向の中央に位置するコイルの複数のコイル電極とセラミック層を介して互いに対向し、（ｅ）前記配列方向の下部に位置するコイルの複数のコイル電極が、配列方向の中央に位置するコイルの複数のコイル電極とセラミック層を介して互いに対向していることを特徴とする。
【００１１】
製造工程が簡易となって大きなインダクタンスが得られることに加え、一つのコイルの複数のコイル電極が、他のコイルの複数のコイル電極と互いに対向しているので、大きな容量を得ることができる。
【００１２】
また、本発明のＬＣフィルタは、前記対向しているコイル電極が、コイル軸方向からみて略同一の形状であることを特徴とする。
【００１３】
これにより、対向しているコイル電極間で容量が得られやすくなる。
【００１４】
また、本発明のＬＣフィルタは、前記外部電極が、コイル軸方向と直交する、積層体の両端面に形成されていることを特徴とする。
【００１５】
これにより、コイル電極と外部電極との間に発生する浮遊容量を抑制することができる。
【００１６】
また、本発明のＬＣフィルタは、前記対向しているコイル電極間のセラミック層が高誘電率材料で形成されていることを特徴とする。
【００１７】
これにより、対向しているコイル電極間で大きな容量を得ることができる。
【００１８】
また、本発明のＬＣフィルタは、前記それぞれのコイルのうち、他のコイルのコイル電極と対向しているコイル電極が同一の電極幅であり、前記互いに対向しているコイル電極の電極幅が異なることを特徴とする。
【００１９】
互いに対向しているコイル電極の電極幅が異なるので、積層ずれによってコイル導体の位置がずれても幅の広いコイル電極内で幅の狭いコイル電極が移動し、容量の変動を抑制することができる。
【発明の効果】
【００２０】
以上のように、本発明に係るＬＣフィルタによれば、コイル電極を対向させてコンデンサを形成するので、製造工程が簡易であり、かつ、大きなインダクタンスを有するＬＣフィルタを得ることができる。
【発明を実施するための最良の形態】
【００２１】
以下、本発明の実施の形態を示して、その特徴とするところを詳しく説明する。
【実施例１】
【００２２】
図１は本発明の第１の実施例に係るＬＣフィルタの分解斜視図であり、図２は等価回路図である。また、図３は外観斜視図である。
【００２３】
図１に示すように、本実施例に係るＬＣフィルタは、積層体の内部に２つのコイルＬ１、Ｌ２が形成され、コイル軸方向が同一でかつコイル軸方向に沿って配列されている。そして、配列方向の両外側に位置しないコイル端部を含むコイル電極１ｄ、１ｅが、セラミック層を介して互いに対向している。なお、コイル電極１ｄ、１ｅはコイル軸方向から見て同一の形状に形成されている。そして、本実施例に係るＬＣフィルタは、図２の等価回路図に示すように磁気結合した２つのコイルＬ１、Ｌ２の中間にコンデンサＣが形成される形となる。
【００２４】
本実施例に係るＬＣフィルタは、図１に示すように、コイル電極１ａ〜１ｈを印刷したセラミックシート３、コイル電極を印刷しない、コイル電極１ａ〜１ｄとコイル電極１ｅ〜１ｈとの間に配置されるセラミックシート５、およびコイル電極を印刷しない外層用のセラミックシート７を積層することにより形成する。
【００２５】
セラミックシート３、５、７は、比誘電率が１５の誘電体材料により形成する。そして、セラミックシート３上にＡｇペーストでコイル電極１ａ〜１ｈおよびビアホール９を形成し、コイル電極１ａ〜１ｄ、１ｅ〜１ｈを、ビアホール９で所定箇所を結合して、螺旋状に接続するように積層することにより、４．２５ターンの２つのコイルＬ１、Ｌ２を形成する。その後、コイル軸方向が同一であってかつコイル軸方向に沿って配列するように、２つのコイルＬ１、Ｌ２をセラミックシート５を介して積層し、上下に外層用のセラミックシート７、７を積層して焼成することにより、図３に示す積層体１１を形成する。
【００２６】
そして、図３に示すように、コイル軸方向と並行な、積層体１１の両端面に外部電極１３ａ、１３ｂを形成する。外部電極１３ａ、１３ｂは、配列方向の両外側に位置するコイル端部、すなわち図１に示すコイル電極１ａ、１ｈの端部と電気的に接続している。これにより、第１の実施例のＬＣフィルタを得る。なお、本実施例のＬＣフィルタのサイズは１．０ｍｍ（Ｌ）×０．５ｍｍ（Ｗ）×０．５ｍｍ（Ｔ）であり、コイル電極はＬＷ面に形成されていることになる。
【００２７】
このように、本実施例に係るＬＣフィルタは、コイル電極１ｄ、１ｅを対向させてコンデンサを形成しているので、コンデンサ電極を別途形成する必要がない。また、ＬＣフィルタをコイルと同様の構造で製造することができる。これにより、ＬＣフィルタを簡易に製造することができる。
【００２８】
また、コイル電極１ｄ、１ｅを対向させてコンデンサを形成しているので、幅の広いコンデンサ電極でコイルの磁束を遮ることがなく、渦電流損によるインダクタンスの低下を防止することが可能となる。これにより、大きなインダクタンスを得ることができる。そして、大きなインダクタンスが得られることから、低い周波数で共振を得ることができるので、設計できる共振周波数の範囲を広げることができる。
【実施例２】
【００２９】
図４は本発明の第２の実施例に係るＬＣフィルタの分解斜視図であり、図５は外観斜視図である。
【００３０】
図４に示すように、本実施例に係るＬＣフィルタは、積層体の内部に２つのコイルＬ２１、Ｌ２２が形成され、コイルＬ２１、Ｌ２２はコイル軸方向が同一でかつコイル軸方向に沿って配列されている。そして、配列方向の両外側に位置しないコイル端部を含むコイル電極２１ｆ、２１ｇが、セラミック層を介して互いに対向している。なお、コイル電極２１ｆ、２１ｇはコイル軸方向から見て同一の形状に形成されている。
【００３１】
そして、図５に示すように、本実施例においては、外部電極３３ａ、３３ｂがコイル軸方向と直交する、積層体３１の両端面に形成されている。
【００３２】
本実施例に係るＬＣフィルタは、図４に示すように、コイル電極２１ａ〜２１ｌを印刷したセラミックシート２３、コイル電極を印刷しない、コイル電極２１ａ〜２１ｆとコイル電極２１ｇ〜２１ｌとの間に配置されるセラミックシート２５、およびコイル電極を印刷しない外層用のセラミックシート２７を積層することにより形成する。
【００３３】
セラミックシート２３、２５、２７は、比誘電率が１５の誘電体材料により形成する。そして、セラミックシート２３上にＡｇペーストでコイル電極２１ａ〜２１ｌおよびビアホール２９を形成し、コイル電極２１ａ〜２１ｆ、２１ｇ〜２１ｌを、ビアホール２９で所定箇所を結合して、螺旋状に接続するように積層することにより、１５ターンの２つのコイルＬ２１、Ｌ２２を形成する。また、外層用のセラミックシート２７にもビアホール２９を形成した。
【００３４】
ここで、第１の実施例とコイルのターン数を異ならせたのは、直列共振周波数をほぼ等しくするためである。すなわち、図５に示すように、本実施例に係るＬＣフィルタは、第１の実施例と異なり、コイル軸方向と直交する、積層体３１の両端面に外部電極３３ａ、３３ｂを設けている。そのため、第１の実施例では積層体のＬＷ面にコイル電極を形成したのに対して、本実施例ではＷＴ面にコイル電極を形成しているので、コイル電極の大きさが異なる。そして、コイル電極の大きさの違いにより、インダクタンスおよび容量が異なって直列共振周波数が異なるので、コイルのターン数を変えることにより、直列共振周波数がほぼ等しくなるように調整しているのである。
【００３５】
そして、コイル軸方向が同一であってかつコイル軸方向に沿って配列するように、２つのコイルＬ２１、Ｌ２２をセラミックシート２５を介して積層し、上下に外層用のセラミックシート２７、２７を積層して焼成することにより、図５に示す積層体３１を形成する。
【００３６】
そして、図５に示すように、コイル軸方向と直交する、積層体３１の両端面に外部電極３３ａ、３３ｂを形成する。外部電極３３ａ、３３ｂは、配列方向の両外側に位置するコイル端部、すなわち図４に示すコイル電極２１ａ、２１ｌの端部と電気的に接続している。これにより、第２の実施例のＬＣフィルタを得る。なお、本実施例のＬＣフィルタのサイズは第１の実施例と同様に、１．０ｍｍ（Ｌ）×０．５ｍｍ（Ｗ）×０．５ｍｍ（Ｔ）である。
【００３７】
このように本実施例に係るＬＣフィルタは、コイル電極２１ｆ、２１ｇを対向させてコンデンサを形成しているので、コンデンサ電極を別途形成する必要がない。また、ＬＣフィルタをコイルと同様の構造で製造することができる。これにより、ＬＣフィルタを簡易に製造することができる。
【００３８】
また、コイル電極２１ｆ、２１ｇを対向させてコンデンサを形成しているので、幅の広いコンデンサ電極でコイルの磁束を遮ることがなく、渦電流損によるインダクタンスの低下を防止することが可能となる。これにより、大きなインダクタンスを得ることができる。そして、大きなインダクタンスが得られることから、低い周波数で共振を得ることができるので、設計できる共振周波数の範囲を広げることができる。
【００３９】
さらに、本実施例に係るＬＣフィルタでは、外部電極３３ａ、３３ｂをコイル軸方向と直交する、積層体３１の両端面に設けていることにより、コイル電極２１ａ〜２１ｌと外部電極３３ａ、３３ｂとの間に発生する浮遊容量を抑制することができる。
【実施例３】
【００４０】
本発明の第３の実施例に係るＬＣフィルタについて、第１の実施例における図１および図２を援用して説明する。なお、実施例１と共通あるいは対応する部分については適宜説明を省略する。
【００４１】
図１に示すように、本実施例に係るＬＣフィルタは、コイル電極１ａ〜１ｈを印刷したセラミックシート３、コイル電極を印刷しない、コイル電極１ａ〜１ｄとコイル電極１ｅ〜１ｈとの間に配置されるコイル電極間のセラミックシート５、およびコイル電極を印刷しない外層用のセラミックシート７を積層することにより形成するが、本実施例では、対向するコイル電極１ｄ、１ｅ間におけるセラミックシート５を比誘電率が１００の高誘電率材料で形成している。高誘電率材料としては、例えば酸化チタン系のセラミックを用いることができる。
【００４２】
なお、本実施例についても、図３に示すように、コイル軸方向と並行な、積層体１１の両端面に外部電極１３ａ、１３ｂが形成されている。
【００４３】
このように、本実施例に係るＬＣフィルタでは、互いに対向するコイル電極間１ｄ、１ｅにおけるセラミックシート５の誘電率を高くしていることにより、浮遊容量の増加を抑制しながら、大きな容量を得ることができる。そして、大きな容量が得られることから、低い周波数で共振を得ることができるので、設計できる共振周波数の範囲を広げることができる。
【実施例４】
【００４４】
本発明の第４の実施例に係るＬＣフィルタについて、第２の実施例における図４および図５を援用して説明する。なお、実施例２と共通あるいは対応する部分については適宜説明を省略する。
【００４５】
図４に示すように、本実施例に係るＬＣフィルタは、コイル電極２１ａ〜２１ｌを印刷したセラミックシート２３、コイル電極を印刷しない、コイル電極２１ａ〜２１ｈとコイル電極２１ｇ〜２１ｌとの間に配置されるセラミックシート２５、およびコイル電極を印刷しない外層用のセラミックシート２７を積層することにより形成するが、本実施例では、対向するコイル電極２３ｆ、２３ｇ間におけるセラミックシート２５を比誘電率が１００の高誘電率材料で形成している。
【００４６】
なお、本実施例についても、図５に示すように、コイル軸方向と直交する、積層体３１の両端面に外部電極３３ａ、３３ｂが形成されている。
【００４７】
このように、本実施例に係るＬＣフィルタでは、互いに対向するコイル電極間２３ｆ、２３ｇにおけるセラミックシート２５の誘電率を高くしていることにより、浮遊容量の増加を抑制しながら、大きな容量を得ることができる。そして、大きな容量が得られることから、低い周波数で共振を得ることができるので、設計できる共振周波数の範囲を広げることができる。
【００４８】
上記の実施例１〜４におけるＬＣフィルタのＳパラメータをネットワークアナライザＨＰ８７２０Ｄにて測定した。図６〜図９に実施例１〜４のＳ１１、Ｓ２１をそれぞれ示す。Ｓ１１における反射ピークは直列共振によるもので、Ｓ２１の通過ピークは並列共振によるものである。なお、実施例１〜４のＬＣフィルタでは、コンデンサ電極による渦電流損が発生しないので、抵抗成分により共振が抑制されにくい。よって、図６〜図９に示されているのように、急峻な減衰を得ることができる。
【００４９】
図６は第１の実施例に係るＬＣフィルタのＳパラメータであるが、直列共振周波数が約８２０ＭＨｚであり、並列共振周波数は約１．０４ＧＨｚであった。
【００５０】
また、図７は第２の実施例に係るＬＣフィルタのＳパラメータであるが、直列共振周波数が約９２０ＭＨｚであり、並列共振周波数は約２．２８ＧＨｚであった。コイル軸方向と直交する、積層体の両端面に外部電極を形成することにより、コイル電極と外部電極との間に発生する浮遊容量を抑制することができ、第１の実施例と比べて並列共振周波数を高くすることができる。これにより、直列共振周波数と並列共振周波数の差を大きくできるので、不要な共振を抑えることができ、良好な共振特性を得ることができる。
【００５１】
また、図８は第３の実施例に係るＬＣフィルタのＳパラメータであるが、直列共振周波数が約４１０ＭＨｚであり、並列共振周波数は約９４０ＭＨｚであった。コンデンサを形成するコイル電極間のセラミック層を高誘電率の材料で形成することにより、浮遊容量の増加を抑制しながら大きな容量を得ることができる。これにより、第１の実施例に比べ、並列共振周波数は大きく変化させることなく、直列共振周波数のみを低周波領域まで変化させることができる。
【００５２】
また、図９は第４の実施例に係るＬＣフィルタのＳパラメータであるが、直列共振周波数が約３８０ＭＨｚであり、並列共振周波数は約２．２６ＧＨｚであった。互いに対向するコイル電極間におけるセラミックシートの誘電率を高くすることにより、浮遊容量の増加を抑制しながら大きな容量を得ることができる。これにより、第２の実施例に比べ、並列共振周波数は大きく変化させることなく、直列共振周波数のみを低周波領域まで変化させることができる。
【００５３】
なお、本発明は以上の実施例に限定されるものではなく、種々の変更が可能である。例えば、コイルのターン数またはコイル径を変更することが可能であるし、コイルのターン数は２つのコイルで異なってもよい。また、対向するコイル電極間のセラミック層の誘電率を適宜変更することのみならず、対向するコイル電極間のセラミック層の積層枚数を変更することにより、直列共振周波数を変更することも可能である。さらに、実施例では２つのコイルを配列したＬＣフィルタを示したが、３つまたはそれ以上のコイルを配列してもよい。
【実施例５】
【００５４】
図１１は本発明の第５の実施例に係るＬＣフィルタの分解斜視図であり、図１２は外観斜視図である。
【００５５】
図１１に示すように、本実施例に係るＬＣフィルタは、積層体の内部に２つのコイルＬ８１、Ｌ８２が形成され、コイルＬ８１、Ｌ８２はコイル軸方向が同一でかつコイル軸方向に沿って配列されている。そして、コイルＬ８１の複数のコイル電極８１ｄ〜８１ｇが、コイルＬ８２の複数のコイル電極８２ａ〜８２ｄとセラミック層を介して互いに対向している。なお、コイル電極８１ａ〜８１およびコイル電極８２ａ〜８２ｇはそれぞれ同一の電極幅で形成されているが、コイル電極８１ａ〜８１ｇの電極幅はコイル電極８２ａ〜８２ｇの電極幅より広い。
【００５６】
本実施例に係るＬＣフィルタは、図１１に示すように、コイル電極８１ａ〜８１ｇを印刷したセラミックシート８３、コイル電極８２ａ〜８２ｇを印刷したセラミックシート８５、およびコイル電極を印刷しない外層用のセラミックシート８７、８７を積層することにより形成する。
【００５７】
セラミックシート８３、８５、８７は、比誘電率が１５の誘電体材料により形成する。そして、セラミックシート８３上にＡｇペーストでコイル電極８１ａ〜８１ｇおよびビアホール８９を、セラミックシート８５上にＡｇペーストでコイル電極８２ａ〜８２ｇおよびビアホール８９を形成する。ここで、コイル電極８１ａ〜８１ｇは電極幅が８５μｍとなるように、コイル電極８２ａ〜８２ｇは電極幅が４５μｍとなるように形成した。コイル電極８１ａ〜８１ｇおよびコイル電極８２ａ〜８２ｇの所定箇所をそれぞれビアホール８９で結合して螺旋状に接続すると、それぞれ９ターンのコイルＬ８１、Ｌ８２となる。なお、コイル電極８１ｅ〜８１ｇが形成されたセラミックシート８３およびコイル電極８２ａ〜８２ｃが形成されたセラミックシート８５には、コイル電極８１ｅ〜８１ｇ、８２ａ〜８２ｃ上ではない所定の箇所にもビアホール８９を形成した。また、外層用のセラミックシート８７にもビアホール８９を形成した。
【００５８】
そして、コイル軸方向が同一であってかつコイル軸方向に沿って配列するように、また、２ターン分のコイル電極が互いに対向するように、すなわちコイルＬ８１のコイル電極８１ｄ〜８１ｇとコイルＬ８２のコイル電極８２ａ〜８２ｄが対向するように、セラミックシート８３、８５を積層する。そして、上下に外層用のセラミックシート８７、８７を積層して焼成することにより、図１２に示す積層体９１を形成する。
【００５９】
それから、図１２に示すように、コイル軸方向と直交する、積層体９１の両端面に外部電極９３ａ、９３ｂを形成する。外部電極９３ａ、９３ｂは、配列方向の両外側に位置するコイル端部、すなわち図１１に示すコイル電極８１ａ、８２ｇの端部と電気的に接続している。これにより、第５の実施例のＬＣフィルタを得る。
【００６０】
このように本実施例に係るＬＣフィルタは、コイル電極８１ｄ〜８１ｇとコイル電極８２ａ〜８２ｄを対向させてコンデンサを形成しているので、コンデンサ電極を別途形成する必要がなく、コイルと同様の構造で製造することができる。これにより、簡易に製造することができる。また、幅の広いコンデンサ電極でコイルの磁束を遮ることがなく、大きなインダクタンスを得ることができる。
【００６１】
さらに、複数のコイル電極８１ｄ〜８１ｇと複数のコイル電極８２ａ〜８２ｄを互いに対向させてコンデンサを形成しているので、大きな容量を得ることができる。そして、大きなインダクタンスおよび大きな容量が得られることから、低い周波数で共振を得ることができ、設計できる共振周波数の範囲を広げることができる。
【００６２】
また、コイル電極８１ａ〜８１ｇの電極幅がコイル電極８２ａ〜８２ｇの電極幅より広いので、積層ずれが生じても、平面視で、コイル電極８１ａ〜８１ｇ内でコイル電極８２ａ〜８２ｇが移動し、コイル電極８１ｄ〜８１ｇとコイル電極８２ａ〜８２ｄの対向している面積の変動を抑制することができる。この結果、容量の変動を抑制することができる。
【実施例６】
【００６３】
本発明の第６の実施例に係るＬＣフィルタについて、第５の実施例における図１１および図１２を援用して説明する。なお、実施例５と共通あるいは対応する部分については適宜説明を省略する。
【００６４】
図１１に示すように、本実施例に係るＬＣフィルタは、コイル電極８１ａ〜８１ｇおよびビアホール８９を形成したセラミックシート８３、コイル電極８２ａ〜８２ｇおよびビアホール８９を形成したセラミックシート８５、およびコイル電極を印刷しない外層用のセラミックシート８７、８７を積層することにより形成する。本実施例では、コイル電極８１ａ〜８１ｇおよびコイル電極８２ａ〜８２ｇの所定箇所をそれぞれビアホール８９で結合して螺旋状に接続すると、それぞれ１１ターンのコイルＬ８１、Ｌ８２となる。
【００６５】
そして、本実施例では６ターン分のコイル電極が互いに対向するように、セラミックシート８３、８５を積層した。
【００６６】
このように、本実施例に係るＬＣフィルタでは、実施例５よりもさらに多くの複数のコイル電極と複数のコイル電極を対向させてコンデンサを形成しているので、さらに大きな容量を得ることができる。そして、大きな容量が得られることから、低い周波数で共振を得ることができるので、設計できる共振周波数の範囲を広げることができる。
【００６７】
また、コイル電極８１ａ〜８１ｇの電極幅がコイル電極８２ａ〜８２ｇの電極幅より広いので、積層ずれが生じても、平面視で、コイル電極８１ａ〜８１ｇ内でコイル電極８２ａ〜８２ｇが移動し、対向しているコイル電極の面積の変動を抑制することができる。この結果、容量の変動を抑制することができる。
【００６８】
上記の実施例５および実施例６におけるＬＣフィルタのＳパラメータをネットワークアナライザＨＰ８７２０Ｄにて測定した。図１３および図１４に実施例５および実施例６のＳ１１、Ｓ２１をそれぞれ示す。Ｓ１１における反射ピークは直列共振によるもので、Ｓ２１の通過ピークは並列共振によるものである。なお、実施例５および実施例６のＬＣフィルタでは、コンデンサ電極による渦電流損が発生しないので、抵抗成分により共振が抑制されにくい。よって、図１３および図１４に示されているのように、急峻な減衰を得ることができる。
【００６９】
図１３は第５の実施例に係るＬＣフィルタのＳパラメータであるが、直列共振周波数が約７７０ＭＨｚであり、並列共振周波数は約５．９ＧＨｚであった。複数のコイル電極を対向させているので、大きな容量を得ることができる。これにより、直列共振周波数を低周波領域まで変化させることができる。
【００７０】
また、図１４は第６の実施例に係るＬＣフィルタのＳパラメータであるが、直列共振周波数が約４５０ＭＨｚであり、並列共振周波数は約５．９ＧＨｚであった。第５の実施例よりさらに多くのコイル電極を対向させているので、さらに大きな容量を得ることができ、直列共振周波数のみをさらに低周波領域まで変化させることができる。
【実施例７】
【００７１】
図１５は本発明の第７の実施例に係るＬＣフィルタの分解斜視図であり、図１６は外観斜視図である。
【００７２】
図１５に示すように、本実施例に係るＬＣフィルタは、積層体の内部に３つのコイルＬ１０１、Ｌ１０２、Ｌ１０３が形成され、コイルＬ１０１、Ｌ１０２、Ｌ１０３はコイル軸方向が同一でかつコイル軸方向に沿って配列されている。そして、配列方向の上部に位置するコイルＬ１０１の複数のコイル電極１０１ｃ、１０１ｄが、配列方向の中央に位置するコイルＬ１０２の複数のコイル電極１０２ａ、１０２ｂとセラミック層を介して互いに対向し、配列方向の下部に位置するコイルＬ１０３の複数のコイル電極１０３ａ、１０３ｂが、配列方向の中央に位置するコイルＬ１０２の複数のコイル電極１０２ｃ、１０２ｄとセラミック層を介して互いに対向している。なお、コイル電極１０１ａ〜１０１ｄ、コイル電極１０２ａ〜１０２ｅ、およびコイル電極１０３ａ〜１０３ｄはそれぞれ同一の電極幅で形成されているが、コイル電極１０１ａ〜１０１ｄ、１０３ａ〜１０３ｄの電極幅はコイル電極１０２ａ〜１０２ｅの電極幅より広い。
【００７３】
本実施例に係るＬＣフィルタは、図１５に示すように、コイル電極１０１ａ、〜１０１ｄを印刷したセラミックシート１０３、コイル電極１０２ａ〜１０２ｅを印刷したセラミックシート１０５、コイル電極１０３ａ〜１０３ｄを印刷したセラミックシート１０６、およびコイル電極を印刷しない外層用のセラミックシート１０７、１０７を積層することにより形成する。
【００７４】
セラミックシート１０３、１０５、１０６、１０７は、比誘電率が１５の誘電体材料により形成する。そして、セラミックシート１０３上にＡｇペーストでコイル電極１０１ａ〜１０１ｄおよびビアホール１０９を、セラミックシート１０５上にＡｇペーストでコイル電極１０２ａ〜１０２ｂｅおよびビアホール１０９を、セラミックシート１０６上にＡｇペーストでコイル電極１０３ａ〜１０３ｄおよびビアホール１０９を形成する。コイル電極１０１ａ〜１０１ｄ、コイル電極１０２ａ〜１０２ｅ、コイル電極１０３ａ〜１０３ｄの所定箇所をそれぞれビアホールで結合して螺旋状に接続すると、３つのコイルＬ１０１、Ｌ１０２、Ｌ１０３となる。また、外層用のセラミックシート１０７にもビアホール１０９を形成した。
【００７５】
そして、コイル軸方向が同一であってかつコイル軸方向に沿って配列するように、また、コイルＬ１０１のコイル電極１０１ｃ、１０１ｄとコイルＬ１０２のコイル電極１０２ａ、１０２ｂ、コイルＬ１０２のコイル電極１０２ｄ、１０２ｅとコイルＬ１０３のコイル電極１０３ａ、１０３ｂが互いに対向するようにセラミックシート１０３、１０５、１０６を積層する。そして、上下に外層用のセラミックシート１０７、１０７を積層して焼成することにより、図１６に示す積層体１１１を形成する。
【００７６】
それから、図１６に示すように、コイル軸方向と直交する、積層１１１の両端面に外部電極１１３ａ、１１３ｂを形成する。外部電極１１３ａ、１１３ｂは、配列方向の両外側に位置するコイル端部、すなわち図１５に示すコイル電極１０１ａ、１０３ｄの端部と電気的に接続している。これにより、第７の実施例のＬＣフィルタを得る。
【００７７】
このように本実施例に係るＬＣフィルタは、コイル電極１０１ｃ、１０１ｄとコイル電極１０２ａ、１０２ｂ、コイル電極１０２ｄ、１０２ｅとコイル電極１０３ａ、１０３ｂを対向させてコンデンサを形成しているので、コンデンサ電極を別途形成する必要がなくコイルと同様の構造で製造することができるので、簡易に製造することができる。また、幅の広いコンデンサ電極でコイルの磁束を遮ることがなく、大きなインダクタンスを得ることができる。
【００７８】
さらに、複数のコイル電極８１ｃ、８１ｄと複数のコイル電極８２ａ、８２ｂ、複数のコイル電極８２ｄ、８２ｅと複数のコイル電極８３ａ、８３ｂを対向させてコンデンサを形成しているので、大きな容量を得ることができる。そして、大きなインダクタンスおよび大きな容量が得られることから、低い周波数で共振を得ることができるので、設計できる共振周波数の範囲を広げることができる。
【００７９】
また、コイル電極１０１ａ〜１０１ｄ、１０３ａ〜１０３ｄの電極幅がコイル電極１０２ａ〜１０２ｅの電極幅より広いので、積層ずれが生じても、平面視で、コイル電極１０１ａ〜１０１ｄ、１０３ａ〜１０３ｄ内でコイル電極１０２ａ〜１０２ｅが移動し、対向しているコイル電極の面積の変動を抑制することができる。この結果、容量の変動を抑制することができる。
【００８０】
本発明は以上の実施例に限定されるものではなく、種々の変更が可能である。例えば、コイルのターン数またはコイル径を変更することが可能であるし、コイルのターン数は複数のコイルで異なってもよい。また、対向するコイル電極間のセラミック層の誘電率を適宜変更することのみならず、対向するコイル電極間のセラミック層の積層枚数を変更することにより、直列共振周波数を変更することも可能である。実施例１〜４では２つのコイルを配列したＬＣフィルタを示したが、３つまたはそれ以上のコイルを配列してもよい。また、実施例５〜７ではセラミックシートに１／２ターンのコイル電極を形成したが、３／４ターンのコイル電極を形成してもよいし、対向するコイル電極のみの電極幅を異ならせてもよい。さらに、実施例７では配列方向の中央に位置するコイルのみならず、上部に位置するコイルのコイル電極と下部に位置するコイルのコイル電極とを対向させてもよい。
【図面の簡単な説明】
【００８１】
【図１】本発明の第１の実施例に係るＬＣフィルタの分解斜視図である。
【図２】本発明のＬＣフィルタの等価回路図である。
【図３】本発明の第１の実施例に係るＬＣフィルタの外観斜視図である。
【図４】本発明の第２の実施例に係るＬＣフィルタの分解斜視図である。
【図５】本発明の第２の実施例に係るＬＣフィルタの外観斜視図である。
【図６】本発明の第１の実施例に係るＬＣフィルタのＳパラメータである。
【図７】本発明の第２の実施例に係るＬＣフィルタのＳパラメータである。
【図８】本発明の第３の実施例に係るＬＣフィルタのＳパラメータである。
【図９】本発明の第４の実施例に係るＬＣフィルタのＳパラメータである。
【図１０】従来のＬＣフィルタの断面図である。
【図１１】本発明の第５の実施例に係るＬＣフィルタの分解斜視図である。
【図１２】本発明の第５の実施例に係るＬＣフィルタの外観斜視図である。
【図１３】本発明の第５の実施例に係るＬＣフィルタのＳパラメータである。
【図１４】本発明の第６の実施例に係るＬＣフィルタのＳパラメータである。
【図１５】本発明の第７の実施例に係るＬＣフィルタの分解斜視図である。
【図１６】本発明の第７の実施例に係るＬＣフィルタの外観斜視図である。
【符号の説明】
【００８２】
１ａ〜１ｈ、２１ａ〜２１ｌ    コイル電極
３、５、７、２３、２５、２７    セラミックシート
９、２９    ビアホール
１１、３１    積層体
１３ａ、１３ｂ、３３ａ、３３ｂ    外部電極
Ｌ１、Ｌ２、Ｌ２１、Ｌ２２    コイル
【図１】
2008147709.tif 000003
【図２】
2008147709.tif 000004
【図３】
2008147709.tif 000005
【図４】
2008147709.tif 000006
【図５】
2008147709.tif 000007
【図６】
2008147709.tif 000008
【図７】
2008147709.tif 000009
【図８】
2008147709.tif 000010
【図９】
2008147709.tif 000011
【図１０】
2008147709.tif 000012
【図１１】
2008147709.tif 000013
【図１２】
2008147709.tif 000014
【図１３】
2008147709.tif 000015
【図１４】
2008147709.tif 000016
【図１５】
2008147709.tif 000017
【図１６】
2008147709.tif 000018